(57)【特許請求の範囲】
【請求項１】
底面と前面とが開放されたキャビネット枠と、このキャビネット枠に対して昇降自在に支持される昇降ラックと、前記キャビネット枠の前面側に開閉自在に配置された扉とを備えた吊戸棚であって、
前記昇降ラックと前記扉との間には、前記扉が閉じられた状態では前記昇降ラックを昇降自在とし、且つ前記扉が開かれた状態では前記昇降ラックの下降を妨げる第１のロック機構が設けられていることを特徴とする吊戸棚。
【請求項２】
請求項１において、
前記第１のロック機構は、前記昇降ラックに設けられた係止部と、
前記キャビネット枠に設けられ前記扉を閉じると前記係止部との係止状態が解除されるとともに、前記扉が開くと前記係止部との係止状態が維持される被係止部とで構成されたことを特徴とする吊戸棚。
【請求項３】
請求項２において、
前記被係止部は、前記扉を閉じると前記扉に押圧されて前記係止部との係止状態が解除される方向に移動する被係止部材と、該被係止部材を前記係止部との係止が維持される方向に付勢した状態で前記被係止部材を移動自在に支持する支持部材とを備えたことを特徴とする吊戸棚。
【請求項４】
請求項１〜請求項３のいずれか１項において、
前記昇降ラックと前記扉との間に、前記昇降ラックが前記キャビネット枠内に収められた状態では前記扉を開閉自在とし、且つ前記昇降ラックが前記キャビネット枠外に出て下降した状態では、前記扉が開くのを妨げる第２のロック機構が設けられていることを特徴とする吊戸棚。
【請求項５】
請求項４において、
前記第２のロック機構は、前記扉側に設けられた第１の突起部と前記昇降ラック側に設けられた第２の突起部とで構成され、前記第１の突起部と前記第２の突起部とは、前記昇降ラックが前記キャビネット枠内に収められた状態では互いに係合せず、前記昇降ラックが前記キャビネット枠外に出て下降した状態では互いに係合する構造とすることを特徴とする吊戸棚。
【請求項６】
請求項５において、
前記扉は、前記キャビネット枠の前面に当接して前記キャビネット枠の前面側を塞ぐ第１の位置と、該第１の位置から前記キャビネット枠の前面に対して非当接状態に突出した第２の位置と、該第２の位置から上方にスライドして前記キャビネット枠の前面側を塞がない第３の位置とで移動自在に保持され、
前記第２の突起部は、前記昇降ラックの両側板外面から突出して且つ前記昇降ラックの上下方向に沿って形成され、前記昇降ラックが前記キャビネット枠外に出て下降した状態で前記第１の突起部が係合して前記扉が前記第１の位置から前記第２の位置に移動するのを妨げる突出片としたことを特徴とする吊戸棚。
【発明の詳細な説明】
【技術分野】
【０００１】
本発明は、キャビネット枠と、昇降ラックと、扉とを備えた吊戸棚に関する。
【背景技術】
【０００２】
従来より、キッチンのフロアキャビネット等の上方の壁面に設けられた吊戸棚として、吊戸棚に収納した物の出し入れをし易くするため、吊戸棚のキャビネット枠の底面を開放し、上下に昇降自在とした昇降ラックを備えたものが知られている。
例えば下記特許文献１には、上述のような吊戸棚が開示されている。ここには扉センサによって、扉が開放状態にあることを検出したことを条件として、駆動装置に駆動信号を出力して昇降ラックの昇降を許容する吊戸棚が記載されている。
これによれば、例えば収納物が昇降ラックから突出して昇降ラックの昇降を妨げるような場合、その突出部位が閉じられた扉の下端に引っかかったまま昇降ラックが昇降しないようにすることができる。
【先行技術文献】
【特許文献】
【０００３】
【特許文献１】特開平１１−２０６４７６号公報
【発明の概要】
【発明が解決しようとする課題】
【０００４】
しかしながら上記特許文献１に記載の吊戸棚のように、扉を開けた状態で昇降ラックが昇降できる構成とした場合、キャビネット枠内が開けた扉側から見え、そこに設けられた機構部が見えてしまうため、見栄えがよくない。
また、扉を開けた状態で昇降ラックを下降させた場合、下降した昇降ラックの上に空間ができるため、昇降ラックの上面に物を置いてしまうことがある。この場合、その状態で昇降ラックを上昇させると、物を壊してしまうおそれもある。
【０００５】
本発明は、上記実情に鑑みてなされたものであり、使用時の美観と安全性をより高めた吊戸棚を提供することを目的としている。
【課題を解決するための手段】
【０００６】
上記目的を達成するために、本発明に係る吊戸棚は、底面と前面とが開放されたキャビネット枠と、このキャビネット枠に対して昇降自在に支持される昇降ラックと、前記キャビネット枠の前面側に開閉自在に配置された扉とを備えた吊戸棚であって、前記昇降ラックと前記扉との間には、前記扉が閉じられた状態では前記昇降ラックを昇降自在とし、且つ前記扉が開かれた状態では前記昇降ラックの下降を妨げる第１のロック機構が設けられていることを特徴とする。
【０００７】
また本発明において、前記第１のロック機構は、前記昇降ラックに設けられた係止部と、前記キャビネット枠に設けられ前記扉を閉じると前記係止部との係止状態が解除されるとともに、前記扉が開くと前記係止部との係止状態が維持される被係止部とで構成されたものとしてもよい。
さらに本発明において、前記被係止部は、前記扉を閉じると前記扉に押圧されて前記係止部との係止状態が解除される方向に移動する被係止部材と、該被係止部材を前記係止部との係止が維持される方向に付勢した状態で前記被係止部材を移動自在に支持する支持部材とを備えたものとしてもよい。
また本発明において、前記昇降ラックと前記扉との間に、前記昇降ラックが前記キャビネット枠内に収められた状態では前記扉を開閉自在とし、且つ前記昇降ラックが前記キャビネット枠外に出て下降した状態では、前記扉が開くのを妨げる第２のロック機構が設けられているものとしてもよい。
【０００８】
そして本発明において、前記第２のロック機構は、前記扉側に設けられた第１の突起部と前記昇降ラック側に設けられた第２の突起部とで構成され、前記第１の突起部と前記第２の突起部とは、前記昇降ラックが前記キャビネット枠内に収められた状態では互いに係合せず、前記昇降ラックが前記キャビネット枠外に出て下降した状態では互いに係合する構造とするものとしてもよい。
【０００９】
また本発明において、前記扉は、前記キャビネット枠の前面に当接して前記キャビネット枠の前面側を塞ぐ第１の位置と、該第１の位置から前記キャビネット枠の前面に対して非当接状態に突出した第２の位置と、該第２の位置から上方にスライドして前記キャビネット枠の前面側を塞がない第３の位置とで移動自在に保持され、前記第２の突起部は、前記昇降ラックの両側板外面から突出して且つ前記昇降ラックの上下方向に沿って形成され、前記昇降ラックが前記キャビネット枠外に出て下降した状態で前記第１の突起部が係合して前記扉が前記第１の位置から前記第２の位置に移動するのを妨げる突出片としてもよい。
【発明の効果】
【００１０】
本発明に係る吊戸棚によれば、扉が開かれた状態で昇降ラックが下降することがないので、キャビネット枠内が見えず機構部などが露出しないので使用時の美観がよいものとすることができる。また、昇降ラックを下降した昇降ラックの上面に物を置いて物を壊してしまうような状況とならないので、使用時の安全性を従来のものよりも高めることができる。
【図面の簡単な説明】
【００１１】
【図１】本発明の一実施形態に係る吊戸棚を説明するための概略的分解斜視図である。
【図２】同吊戸棚の側面図であり、扉が閉じられ（第１の位置）、且つ昇降ラックがキャビネット枠内に収められた状態を示した図である。
【図３】同吊戸棚の側面図であり、扉が閉じられ（第１の位置）、且つ昇降ラックがキャビネット枠外に出て下降した状態を示した図である。
【図４】同吊戸棚の側面図であり、扉が手前に引き出され（第２の位置）、且つ昇降ラックがキャビネット枠内に収められた状態を示した図である。
【図５】同吊戸棚の側面図であり、扉が開かれ（第３の位置）、且つ昇降ラックがキャビネット枠内に収められた状態を示した図である。
【発明を実施するための形態】
【００１２】
以下に本発明の実施の形態について、図面に基づいて説明する。
本実施形態に係る吊戸棚１は、底面と前面とが開放されたキャビネット枠２と、このキャビネット枠２に対して昇降自在に支持される昇降ラック３と、キャビネット枠２の前面側に開閉自在に配置された扉４とを備えている。昇降ラック３と扉４との間には、扉４が閉じられた状態では昇降ラック３を昇降自在とし、且つ扉４が開かれた状態では昇降ラック３の下降を妨げる第１のロック機構５が設けられている。
また昇降ラック３と扉４との間に、昇降ラック３がキャビネット枠２内に収められた状態では扉４を開閉自在とし、且つ昇降ラック３がキャビネット枠２外に出て下降した状態では、扉４が開くのを妨げる第２のロック機構６が設けられている。
なお、図２〜図５に示す図面では、説明のため、キャビネット枠２に設けられた一方の側板２１（図１では紙面右側に配置されている側板２１）及び扉４に設けられた一方の取付部材４１（図１では紙面右側に配置されている取付部材４１）の図示は省略する。また以下の説明において指す前後及び上下方向の位置関係は、吊戸棚１に対面した使用者を基準として説明する。
【００１３】
以下、吊戸棚１の構造を詳しく説明する。
キャビネット枠２は、天板２０と、天板２０の下方左右に向かい合うように配された一対の側板２１，２１と、背板２２（図２参照）とを備えた直方体形状の箱体からなり、底面と前面とは開放され、底面と前面とには開口部２３，２４（図１参照）が形成されている。
天板２０の内面の扉４側には、第１のロック機構５を構成する被係止部５１が２つ設けられている。
ここで、第１のロック機構５は、上述のように昇降ラック３と扉４との間に、扉４が閉じられた状態では昇降ラック３を昇降自在とし、且つ扉４が開かれた状態では昇降ラック３の下降を妨げる構造であれば、どのようなものでもよい。
図ではその一例として第１のロック機構５が、昇降ラック３に設けられた係止部５０と、キャビネット枠２に設けられた被係止部５１とで構成された例を示している。
【００１４】
被係止部５１は、キャビネット枠２に設けられ扉４を閉じると係止部５０との係止状態が解除されるとともに、扉４が開くと係止部５０との係止状態が維持されるものであればどのような構成でもよい。
図では被係止部５１が、扉４を閉じると扉４に押圧されて係止部５０との係止状態が解除される方向に移動する被係止部材５１ａと、被係止部材５１ａを係止部５０との係止が維持される方向に付勢した状態で被係止部材５１ａを移動自在に支持する支持部材５１ｂとを備えている例を示している。
【００１５】
支持部材５１ｂは直方形状の箱体からなり、天板２０の内面に固着されている。
被係止部材５１ａは側面視して略コの字状に折り曲げ形成した円筒の棒状体からなり、支持部材５１ｂに形成された貫通孔を通じて支持部材５１ｂに装着され前後方向に移動自在に支持されている。
被係止部材５１ａの一方端、すなわち支持部材５１ｂに支持される側の先端５１ａａは、閉じられた状態の扉４の裏面に当接するように配置される。また被係止部材５１ａの他端側、すなわち扉４が開けられた状態において係止部５０の貫通孔５０ａに挿通される側は、貫通孔５０ａに係止されるよう鉤状の引掛部５１ａｂとなっている。
被係止部材５１ａは、支持部材５１ｂ内に内装されたバネ材などの付勢部材５１ｃによって、押圧力が加わると前後方向に移動自在に構成されており、付勢部材５１ｃは常時は扉４側に向かって弾性付勢されている。
【００１６】
従って、扉４が閉じられ扉４の裏面に先端５１ａａが当接して扉４からの押圧力を受けると、被係止部材５１ａが後ろ方向に移動して係止部５０との係止状態が解除される（図２のＸ部拡大図参照）。このとき、付勢部材５１ｃがバネ材からなる場合は、バネが圧縮された状態となる。
一方、扉４が開けられ扉４からの押圧力が解除されると付勢部材５１ｃの復元弾力によって被係止部材５１ａが前方向に移動して係止部５０ｃとの係止状態が維持される（図４のＸ部拡大図参照）。
なお、ここでは２組の第１のロック機構５が設けられた例を示しているが、これに限定されずキャビネット枠２及び昇降ラック３の中央部位に１組設けるようにしてもよいし、吊戸棚１の大きさに応じて複数設けられたものとしてもよい。
【００１７】
側板２１，２１の内面の扉４側には、扉４をスライドさせながら開閉するためのガイド溝２５が扉４側に設けられたローラ４３，４４の形状、構成に応じて形成されている。
扉４は、キャビネット枠２の前面の開口部２４を塞ぐように方形状の薄板体４０からなり、扉４の前面には扉４を開閉する際の扉取っ手４２が設けられている。扉取っ手４２は、扉４の前面から前方向に突出するように略水平方向に設けられた棒状体で構成されている。
ここでは扉取っ手４２が断面視して方形状の例を示しているが、これに限定されず円形状、楕円形状、或いは多角形状などとしてもよい。また扉取っ手４２の長手方向の長さも図例に限定されるものでない。
【００１８】
扉４の裏面の両端部下方側には、昇降ラック３側に突出するように板状体からなる一対の取付部材４１，４１が設けられている。この取付部材４１，４１のそれぞれには上下に２個並んでローラ４３，４４が設けられた軸部４３ａ，４４ａが固着されている。ローラ４３，４４が設けられた軸部４３ａ，４４ａは、ローラ４３，４４がキャビネット枠２の側面２１に形成されたガイド溝２５内を回転しながら移動するように取付部材４１，４１から外方向に向かって突出するように設けられている。
【００１９】
ローラ４３，４４の構成、径の大きさ等は図例に限定されるものではないが、図例のローラ４３，４４の径の大きさは、ガイド溝２５の幅に応じて下方に設けられたローラ４３より、上方に設けられたローラ４４の方が、径が小さいものが設けられている。
下方に設けられたローラ４３の軸部４３ａは、取付部材４１を挟んで内方側へも突出しており（図１参照）、この内方側に突出した軸部４３ａが、後記する第２のロック機構６を構成する第１の突起部６０となる。
なお、第１の突起部６０の形状、構成も図例に限定されるものではない。例えば第１の突起部６０は、ローラ４３の軸部４３ａとは別に構成され取付部材４１に固着された棒状体や板体等からなるものとしてもよい。要は、第１の突起部６０は、第２の突起部６１と昇降ラック３がキャビネット枠２内に収められた状態では互いに係合せず、昇降ラック３がキャビネット枠２外に出て下降した状態では互いに係合する構造であればよい。
【００２０】
キャビネット枠２に形成されたガイド溝２５は、一対の側板２１，２１のそれぞれに略Ｌ字形状に形成された２本の溝が上下に間隔を空けて且つその一部が重なるように形成されている。
ガイド溝２５は、扉４を上下にスライド移動させるための縦溝２５ａと、扉４を略水平方向に移動させるための横溝２５ｂと、扉４を閉じた際にローラ４３，４４を固定し保持する保持溝２５ｃとを備えている。
ガイド溝２５の溝幅は、ガイド溝２５内をローラ４３，４４が回転しながら移動するように形成され、その深さは、ローラ４３，４４の突出幅に合わせて深さを異ならせて掘削して形成されている。
図例のガイド溝２５は、上方にもうけられたローラ４４が下方に設けられたローラ４３より径が小さく且つ突出幅が大きく設けられているので、これに合わせて２本のうち上方に形成された略Ｌ字状のガイド溝２５の溝幅を細く且つ深さを深くして堀削されている。一方、２本のうち下方に形成された略Ｌ字状のガイド溝２５の溝幅は、ローラ４４に合わせて溝幅を大きく且つ深さを浅くして掘削されている。
【００２１】
以上のキャビネット枠２と扉４の構成により、以下のように扉４を開閉することができる。
まず扉４は、閉じられた状態ではキャビネット枠２の前面に当接してキャビネット枠２の前面側を塞ぐ第１の位置（図２参照）となる。
扉取っ手４２を持って前方向に扉４をスライドさせると扉４は、第１の位置からキャビネット枠２の前面に対して非当接状態に突出した第２の位置（図４参照）へ移動する。このとき、ローラ４３，４４は保持溝２５ｃから横溝２５ｂへと移動する。
そして扉取っ手４２を持って上方向に扉４をスライドさせると、第２の位置から上方にスライドしてキャビネット枠２の前面側を塞がない第３の位置（図５参照）へと移動する。このときローラ４３，４４は横溝２５ｂから縦溝２５ａへと移動する。
ここで、縦溝２５ａの上端部付近には、上方に移動してきたローラ４３，４４を係止して第３の位置で扉４を保持するためのバネ部材（不図示）が設けられている。バネ部材は平板状で弾性を備えた金属材などからなり、屈曲形成された中央部を備えている。
扉４を上方に押し上げてバネ部材の中央部をローラ４３，４４が乗り越える位置まで移動させれば、ローラ４３，４４の下端部がバネ部材の中央部で係止され、扉４が下方に移動しないよう扉４を全開した第３の位置に保持することができる。
【００２２】
扉４を開けた状態（第３の位置）から扉４を閉じるときには、逆の動作を行えばよい。
まず全開にしている扉４の扉取っ手４２を掴んで下方へスライドさせる。このときローラ４３，４４は、バネ部材の中央部を乗り越え縦溝２５ａから横溝２５ｂへと移動する。
そして扉４が第２の位置まで下方へ移動したら、扉取っ手４２を持って、扉４を後ろ方向へスライドさせ保持溝２５ｃによって係止される位置まで扉４を押し込めば、扉４を閉じることができる（第１の位置）。このときローラ４３，４４は、横溝２５ｂから保持溝２５ｃへと移動し、保持溝２５ｃに係止される。
なお、扉４の開閉構造は、図例に限定されるものではなく、プーリー及び索体（ワイヤーやチェーン）などの機構部によって開閉自在に構成されたものとしてもよいし、駆動モータで駆動する電動式のものとしてもよい。
【００２３】
昇降ラック３は、キャビネット枠２の底面に形成された開口部２３からキャビネット枠２の内外を昇降自在に構成されている。昇降ラック３は、天板３０と、左右に配された一対の側板３１，３１と、背板３２（図２参照）と、底板３３とを備えた直方体形状の箱体からなり、前面が開放され開口部３４（図１参照）が形成されている。昇降ラック３の下方部位、すなわち底板３３の外面側には、昇降ラック３を上下に上げ下げする際の持ち手となるラック取っ手３５が略水平に設けられている。ここではラック取っ手３５の持ち手が断面視して円形状の例を示しているが、これに限定されず楕円形状、或いは多角形状などとしてもよい。
【００２４】
天板３０の外面の扉４側端部には、被係止部５１を係止するための係止部５０が被係止部５１に対応して２つ設けられている。
係止部５０の形状、構成は特に限定されるものではないが、側面視して略コの字に形成された被係止部材５１ａが係止されるように被係止部材５１ａの径に合わせて貫通孔５０ａが形成されているものであればよい。
側板３１，３１の外面には、第２のロック機構６を構成する第２の突起部６１となる突出片が形成されている。
【００２５】
ここで、第２のロック機構６は、上述したように昇降ラック３と扉４との間に、昇降ラック３がキャビネット枠２内に収められた状態では扉４を開閉自在とし、且つ昇降ラック３がキャビネット枠２外に出て下降した状態では、扉４が開くのを妨げる構造であれば、どのようなものでもよい。
図では第２のロック機構６は、扉４側に設けられた第１の突起部６０と昇降ラック３側に設けられた第２の突起部６１とで構成された例を示している。また図では、第１の突起部６０と第２の突起部６１とは、昇降ラック３がキャビネット枠２内に収められた状態では互いに係合せず、昇降ラック３がキャビネット枠２外に出て下降した状態では互いに係合する構造とした例を示している。
【００２６】
ここに示す第２の突起部６１は、方形状の板体からなり、昇降ラック３の両側板３１，３１外面から突出して且つ昇降ラック３の上下方向に沿って形成されている。
板体の長手方向の長さは、その一方端を昇降ラック３の側板３１の上端部と略同じ位置に取り付けたときに他端が扉４の開閉を妨げることがない長さに設定される。すなわち、第２の突起部６１の設置位置が、昇降ラック３がキャビネット枠２内に収められている状態で、扉４の開閉を妨げることがないよう側板３１の下端部から少し空間を空けた位置までとなっている。
従って、昇降ラック３がキャビネット枠２内に収まっている状態（図２参照）では、第２の突起部６１によって保持溝２５ｃに保持されたローラ４３，４４が、横溝２５ｂ方向へ移動することを妨げないので、扉４の開閉を自由に行うことができる。
【００２７】
一方、昇降ラック３がキャビネット枠２外に出て下降した状態では、第１の突起部６０が第２の突起部６１に係合するので（図３・Ｙ部拡大図参照）、扉４が第１の位置（図３参照）から第２の位置（図４参照）に移動が妨げられ、扉４を開けることができない。
なお、第２の突起部６１の形状、構成は図例に限定されるものではない。
すなわち、第２の突起部６１は、第１の突起部６０と昇降ラック３がキャビネット枠２内に収められた状態では互いに係合せず、昇降ラック３がキャビネット枠２外に出て下降した状態では互いに係合する構造であればよい。
【００２８】
昇降ラック３の天板３０の外面には、図２〜図５に示すように昇降ラック３を上下に昇降させるワイヤーやチェーン等からなる索状体７０の一方端が固着されており、この索状体７０の他端には昇降ラック３の重量に合わせて設けられたバラスト８が取り付けられている。バラスト８の重量は、昇降ラック３内に収納物の最大積載荷重とほぼ同じ重量に設定され、昇降ラック３内に収納物を収納した状態でキャビネット枠２内に昇降ラック３が収まるように設定される。
索状体７０は、可撓性のあるものであれば線状部材であってもよく、キャビネット枠２の天板２０の内面及びキャビネット枠２の背板２２の上方外面に回転自在に設けられたプーリー７，７に掛架され、昇降ラック３は索状体７０によって吊り下げられた状態となる。
これにより、例えば昇降ラック３に下方に向かって引っ張られる力が作用すると、索状体７０も昇降ラック３側下方へ引っ張られ、同方向にプーリー７，７が回転し、昇降ラック３が下降する。また例えば昇降ラック３に上方へ向かって押し上げられる力が作用するとバラスト８の重みで索状体７０がバラスト８側下方へ引っ張られ、同方向にプーリー７，７が回転し、昇降ラック３が上昇する。
【００２９】
なお、ここでは図示していないがキャビネット枠２の両側板２１，２１に昇降ラック３が略垂直に上下動するように誘導する昇降ガイドレールを設けてもよい。
また昇降ラック３の昇降させる構造は、図例に限定されるものではなく、バラスト８を設ける位置もキャビネット枠２外に限定されず、キャビネット枠２内に収まるようにしてもよい。
さらに昇降ラック３の昇降機構として、巻き取りドラムなどを設けたものとしてもよいし、手動式に限らず、電動により垂直方向に昇降させるモータ等からなる駆動ユニットを備えたものとしてもよい。
【００３０】
次に図を参照しながら、昇降ラック３の昇降及び扉４の開閉についてさらに説明する。
図２は、吊戸棚１の側面図であり、扉４が閉じられ（第１の位置）、且つ昇降ラック３がキャビネット枠２内に収められた状態を示している。また、図３も図２と同じく吊戸棚１の側面図を示しており、扉４が閉じられ（第１の位置）、且つ昇降ラック３がキャビネット枠２外に出て下降した状態を示している。
図２に示すように扉４が閉じられ、昇降ラック３がキャビネット枠２内に収まった状態では、扉４に設けられたローラ４３，４４がそれぞれガイド溝２５の保持溝２５ｃに収まっている（図２・Ｙ部拡大図参照）。すなわち、扉４に前方向に引き出す力が作用しない限り、保持溝２５ｃに係止された状態が維持されている。
この状態では、扉４の開閉において妨げるものがないので、扉４の開閉が自在にできる。
すなわち、昇降ラック３がキャビネット枠２内に収まっている状態においては、扉４の開閉を自由に行い、昇降ラック３内にものを出し入れすることができる。
【００３１】
またこの状態において、第１のロック機構５は図２・Ｘ部拡大図に示すように扉４の開閉が行え、昇降ラック３の昇降も自在に行えるように係止部５０と被係止部５１の係止関係は解除された状態にある。
すなわち、扉４が閉じられた状態になると、扉４と当接するように配置される被係止部材５１ａの先端５１ａａが、扉４に押圧されて後退する方向に動き、係止部５０の貫通孔５０ａに挿通された被係止部材５１ａとの係止が解除されている。
従って、図３に示すように、昇降ラック３の昇降を妨げる係止状態にないので、昇降ラック３をキャビネット枠２外へ下降させることができる。
このとき、第２のロック機構６を構成する第２の突起部６１は上下方向（縦方向）に沿って形成されているので、上下方向に昇降する昇降ラック３の動きを妨げることはない。
【００３２】
次いで、図３に示すように吊戸棚１の昇降ラック３を下降させれば、昇降ラック３内への物の出し入れがしやすいものとすることができる。
図３・Ｙ部拡大図に示すように下降した状態で、扉４を開けようとすると、第２のロック機構６を構成する第２の突起部６１に第１の突起部６０が係合するため、ローラ４３をガイド溝２５の保持溝２５ｃから横溝２５ｂ方向へ動かすことができない。
従って吊戸棚１は、第２のロック機構６によって昇降ラック３が下降した状態では、扉４が開けられない構造となっている。
【００３３】
続いて図４は、吊戸棚１の側面図であり、扉４が手前に引き出され（第２の位置）、且つ昇降ラック３がキャビネット枠２内に収められた状態を示している。また図５も図４と同じく吊戸棚１の側面図を示しており、扉４が開かれ（第３の位置）、且つ昇降ラック３がキャビネット枠２内に収められた状態を示している。
第１のロック機構５は、図４及び図５のＸ部拡大図に示すように扉４が開かれると、係止部５０と被係止部５１との係止状態が維持された状態にある。
すなわち、扉４が開けられた状態になると、扉４が前方向に移動して扉４と当接するように配置される被係止部材５１ａの先端５１ａａが、押圧状態から解除される。そして押圧力によって縮んでいた付勢部材５１ｃの復元弾力によって被係止部材５１ａが前方向に移動し、係止部５０の貫通孔５０ａに被係止部材５１ａの引掛部５１ａｂが挿通され係止された状態となる。
【００３４】
こうして吊戸棚１は、扉４が開けられた状態では、第１のロック機構５によって昇降ラック３を下降させることができない構造となっている。このとき、第２のロック機構６を構成する第２の突起部６１は上下方向（縦方向）に沿って形成されているので、扉４の開閉を妨げることはない。また第１のロック機構６を構成する係止部５０及び被係止部５１も、昇降ラック３の天板３０と、キャビネット枠２の天板２０の間に設けられているので、扉４の開閉を妨げることはない。
【００３５】
以上によれば、昇降ラック３がキャビネット枠２内に収まっている状態であれば、扉４の開閉を自在に行える。また第１のロック機構５の係止ロック状態によって、扉４が開いた状態では、昇降ラック３を下降させることができず（図５の状態）、第２のロック機構６の係合ロック状態によって、昇降ラック３がキャビネット枠２外に出て下降した状態では、扉４を開くことができない（図３の状態）。
従って、キャビネット枠２内が見えてしまうことがない。
例えばキャビネット枠２内に設けられたプーリー７などの機構部やガイド溝２５、第１のロック機構５が吊戸棚１の前面側からみえてしまうことがないので、使用時の美観がよい。
またプーリー７などの機構部に手が触れる状況がなくなるので、触って機構部を壊してしまうようなことも防ぐことができる。
さらに扉４が開かれた状態で下降した昇降ラック３の上にものを置くことができなくなり、昇降ラック３の天板３０上にものを置いたまま昇降ラック３を上昇させてものを壊してしまうことなどを防ぐことができる。
従って、使用時の安全性を従来のものよりも高めることができる。
【００３６】
以上、本実施形態に係る吊戸棚１の形状、構成は図例に限定されるものではない。また吊戸棚１は、キッチンのフロアキャビネット等の上方の壁面に設けられ、収納庫として使用されるものとしてもよいし、食器乾燥器に適用されたものとしてもよい。またキッチンに設置される吊戸棚１に限定されずリビングなどに設置されるものであってもよいことは言うまでもない。
またここでは第１のロック機構５と第２のロック機構６の両方を備えた吊戸棚１について説明したが、第１のロック機構５のみを備えたものであってもよい。
【符号の説明】
【００３７】
１      吊戸棚
２      キャビネット枠
３      昇降ラック
３１      側板
４      扉
５      第１のロック機構
５０      係止部
５１      被係止部
５１ａ      被係止部材
５１ｂ      支持部材
６      第２のロック機構
６０      第１の突起部
６１      第２の突起部（突出片）
【図１】
0005452362.tif 000002
【図２】
0005452362.tif 000003
【図３】
0005452362.tif 000004
【図４】
0005452362.tif 000005
【図５】
0005452362.tif 000006